(57)【要約】　　　（修正有）【課題】マイナスイオン、遠赤外線を放射しながら、喉を適切に保護することのできる喉保護体を提供する。【解決手段】人体の首部分に装着されるべくリング状に形成された喉保護体からなり、且つ喉保護体の少なくとも喉に当接部分にはマイナスイオンを発生させるとともに、遠赤外線を放出する高分子樹脂組成物が設けられていることであり、また、高分子樹脂組成物がシート状に形成されていることである。【選択図】図１
0003100532.tif 000002
【実用新案登録請求の範囲】
【請求項１】
人体の首部分に装着されるべくリング状に形成された喉保護体からなり、且つ前記喉保護体の少なくとも喉に当接部分にはマイナスイオンを発生させるとともに、遠赤外線を放出する高分子樹脂組成物が設けられていることを特徴とする喉保護体。
【請求項２】
前記高分子樹脂組成物がシート状に形成されている請求項１記載の喉保護体。
【請求項３】
前記高分子樹脂組成物が喉保護体の全面にわたって組み込まれている請求項１記載の喉保護体。
【考案の詳細な説明】
【考案の詳細な説明】
【技術分野】
【０００１】本発明は、マイナスイオン、及び／又は、遠赤外線の作用を利用して喉の保護を行うことのできる喉保護体に関する。
【背景技術】
【０００２】従来、喉部分の保護、又は喉部分の異常（例えば、喉のはれ、リンパ線の異常等）に対しては、その症状に応じてタオルを首に巻き付けて保温したり、保冷用シート等を喉部分に装着して冷却したりして喉部分を適切に保護することで喉部分の異常に対応してきた。【０００３】また、トルマリン等の鉱石は、圧力や温度変化等を受けると微電流が流れ、マイナスイオンを発生する特性を有し、マイナスイオンの空気は、体内に吸収されると、血液を弱アルカリにさせて、体内のイオン交換を助け、血液を浄化しアレルギーを緩和する効果が知られている。【０００４】さらに、トルマリン等の鉱石は、加圧、加熱により、遠赤外線を放射する特性を有し、細胞の昨日増進する等の治療効果があることが知られている。【０００５】上記トルマリン等の鉱石を利用した装着具としては、特開２００３−４９３１３号に記載の帽子等の額部装着体がある。この装着体は、マイナスイオンを発生させる高分子樹脂組成物を額部に装着させて、飛散したマイナスイオンを吸収し、目お疲れの防止、咳の緩和を行い、身体の血行をよくして健康を維持するものであります。
【考案が解決しようとする課題】
【０００６】しかしながら、上述のようなタオルを使用する場合は、そのつどタオルを容易する必要があり、また、首に巻き付ける必要があり、また、額部分に装着する場合は帽子等の装着具を必要とする等、その装着が不便であった。
【０００７】また、タオルを使用する場合は、トルマリン等の鉱石によるマイナスイオン効果、遠赤外線効果を気体することができず、喉の保護剤としては適切でなく、また、額部分への装着では、マイナスイオンの飛散が上方に広がるために、喉の保護としては問題点があった。
【０００８】そこで、本考案は、マイナスイオン、遠赤外線を放射しながら、喉を適切に保護することのできる喉保護体を提供することを課題とする。
【課題を解決するための手段】
【０００９】本考案は、上記目的を達成するために、請求項１において、人体の首部分に装着されるべくリング状に形成された喉保護体からなり、且つ前記喉保護体の少なくとも喉に当接部分にはマイナスイオンを発生させるとともに、遠赤外線を放出する高分子樹脂組成物が設けられていることを特徴とする。
【００１０】また、請求項２に記載のように、高分子樹脂組成物がシート状に形成されていることである。
【００１１】さらに、請求項３に記載のように、高分子樹脂組成物が喉保護体の全面にわたって組み込まれていることである。
【作用】
【００１２】即ち、本考案は、喉保護体を人体の首部分に装着することにより、少なくとも喉に当接部分に設けられた高分子樹脂組成物により、該高分子樹脂組成物により、マイナスイオンを発生させ、鼻部分より最適に身体内に取り入れることができるとともに、遠赤外線を放出することにより、該遠赤外線が喉部分に効率よく集中させることができるので、喉の緩和、爽快感、リラックス感を得ることができることとなる。
【００１３】この際、高分子樹脂組成物をシート状に形成することにより、喉部分に適切に当接することができる。
【００１４】また、高分子樹脂組成物が喉保護体の全面にわたって組み込まれていることにより、喉保護体を装着することにより首の全体にマイナスイオン、遠赤外線を体に取り入れることができる。
【００１５】このように、喉保護体には高分子樹脂組成物が設けられているために、適切に喉を保護することができるとともに、その装着が容易である。
【実施の形態】
【００１６】以下、本考案の喉保護体の一実施例を図面に沿って説明する。
　図１は、本考案の喉保護体の一実施例を示す概略説明斜視図であり、図２は本考案の高分子樹脂組成物の概略拡大平面図であり、図３（イ）は喉保護体に設けられた高分子樹脂組成物のシート体を示す概略図であり、（ロ）はイのＡ−Ａ線断面図であり、図４は本考案の喉保護体の他実施例を示す概略説明斜視図である。
【００１７】１はリング状に形成された樹脂シートよりなる喉保護体で、該喉保護体１の内側にはシート状の高分子樹脂組成物２が設けられている。尚、喉保護体１の幅、及びリングの径は、使用者（大人、子供等）によって変更自在であり、また、リングは一体形成されたリングでも、一部に装着体の設けられたリングでもよい。
【００１８】前記シート状の高分子樹脂組成物２の喉保護体１への取り付けは、喉部分に当接する部分のみ、喉保護体１の内側全体、又は喉保護体１の内側に点在した状態で設けることも可能であり、特に限定するものでない。
【００１９】また、高分子樹脂組成物２を喉保護体１内に一体的に設けることも可能であり、高分子樹脂組成物２を帯状の布地に設けこれで喉保護体１を形成することも可能である。
【００２０】高分子樹脂組成物２は、天然放射性稀有元素鉱物の微粉末、微粒子で、該微粉末、微粒子３…から放出されるエネルギーにより原子、分子をラジカル化等することによりマイナスイオンを発生させるとともに、遠赤外線の放出によりマイナスイオンの放出を励起し、多量のマイナスイオンを発生することが可能となる。
【００２１】本考案の喉保護体１は上記にように構成されており、次にその使用について説明する。
【００２２】先ず、喉部分に高分子樹脂組成物２が確実に当接するように喉保護体１を首部分に装着する。この際、喉保護体１がリング状に形成されているために、その取り付けは容易に行うことができる他、装着後、首部分より離反することがない。
【００２３】この状態で、装着しておくと、高分子樹脂組成物２より遠赤外線が放出されるとともに、マイナスイオンが放出されることとなり、身体内に取り入れられることとなり、血流のスムーズな流れ等を行い、疲労防止、治癒作用が発揮されることとなり、喉部分を中心に、体全体の健康を保持することが可能となる。
【００２４】また、喉保護体１は水のなかでも使用することができる他、あらゆる場所で使用することができる。そして、取り外す場合は、リング状に形成された喉保護体１を取り外すのみで容易に取り外しできることとなる。
【００２５】このように、本考案の喉保護体１は、その装着、及び取り外しが容易である他、その効果を持続することが可能となる。
【００２６】また、上記実施例では喉保護体１をリング状に形成したが、一本のタオル状の形状のものにひも、又は装着止体を設け、巻き付けて使用することも可能である。要は、装着が容易であり、且つ装着後の離脱がないものでありばよい。
【００２７】さらに、上記実施例の喉保護体１の喉部分に該当する表面部分に、鼻が挿通するための薬、香りのでる香物等を挿入するための袋体７を設けることにより、風邪による鼻づまり等も喉の保護とともに干渉することが可能となる。
【考案の効果】
【００２８】叙上のように、本考案による喉保護体は、容易に首部分に装着することができる他、装着した状態で遠赤外線、マイナスイオンを常に放出して、体の治癒作用を上げることができるという利点を得た。
【００２９】また、その構成が簡易であり、種々の人（大人、子供）用として使用することができるという利点がある。
【図面の簡単な説明】
【図１】は、本考案の喉保護体の一実施例を示す概略説明斜視図である。
【図２】は、本考案の高分子樹脂組成物の概略拡大平面図である。
【図３】は、（イ）は喉保護体に設けられた高分子樹脂組成物のシート体を示す概略図であり、（ロ）はイのＡ−Ａ線断面図である。
【図４】は、本考案の喉保護体の他実施例を示す概略説明斜視図である。
【符号の説明】
１．喉保護体
【図１】
0003100532.tif 000003
【図２】
0003100532.tif 000004
【図３】
0003100532.tif 000005
【図４】
0003100532.tif 000006